(57)【要約】      （修正有）【課題】重量及び所要スペースを減少し、取り付け及び調整が容易な軸受を提供する。【解決手段】固定部品上にムーブメントを備える時計における回転又は並進可能な可動部品の軸受けであって、可動部品は、その移動経路に沿って延びると共に一定の断面を有する１つ以上のエッジ１４を有し、エッジ１４には、互いに間隔をおいて配置され、かつ周方向に延びる切り欠き２１が設けられた複数の軸受ローラ２０が係合している。更に、可動部品の移動経路に直交するように延びると共に、周りに軸受ローラ２０が回転自由に取り付けられた軸線１９と、時計の固定部品１の軸受凹部１５内にて、摩擦抵抗を受けつつ回転調整可能に取り付けられ、軸線１９に対して軸線方向に偏心状に延びる軸受突起１６とを備える。【選択図】図３
2016090575.tif 000002
【特許請求の範囲】
【請求項１】
固定部品上にムーブメントを備える時計における回転又は並進可能な可動部品の軸受けであって、
前記可動部品は、その移動経路に沿って延びると共に一定の断面を有する１つ以上のエッジ（14）を有し、該エッジ（14）には、互いに間隔をおいて配置され、かつ周方向に延びる切り欠き（21）が設けられた複数の軸受ローラ（20）が係合し、
前記可動部品の移動経路に直交するように延びると共に、周りに前記軸受ローラ（20）が回転自由に支持された軸線（19）と、
前記時計の前記固定部品の軸受凹部（15）内にて、摩擦抵抗を受けつつ回転調整可能に支持され、前記軸線（19）に対して軸線方向に偏心状に延びる軸受突起（16）とを備えることを特徴とする軸受。
【請求項２】
固定部品上にムーブメントを備える時計における回転又は並進可能な可動部品の軸受けであって、
前記固定部品は、前記可動部品の移動経路に沿って延びると共に一定の断面を有する１つ以上のエッジ（14'）を有し、該エッジ（14'）には、互いに間隔をおいて配置され、かつ周方向に延びる切り欠きが設けられた複数の軸受ローラ（20'）が係合し、
前記可動部品の移動経路に直交するように延びると共に、周りに前記軸受ローラ（20'）が回転自由に支持された軸線と、
前記時計の前記可動部品の軸受凹部内にて、摩擦抵抗を受けつつ回転調整可能に支持され、前記軸線に対して軸線方向に偏心状に延びる軸受突起とを備えることを特徴とする軸受。
【請求項３】
請求項１又は２に記載の軸受であって、前記軸受ローラ（20, 20'）の切り欠き（21）の断面がＶ字状であることを特徴とする軸受。
【請求項４】
請求項２に従属する場合の請求項３に記載の軸受であって、前記固定部品は、周方向に延びる円形のエッジ（14）を有し、該エッジ（14）に前記軸受ローラ（20）の切り欠き（21）が係合していることを特徴とする軸受。
【請求項５】
請求項１に従属する場合の請求項３に記載の軸受であって、並進可能な前記可動部品は、長手方向に延びるレバー（23）であり、該レバー（23）における２つのエッジ（14'）に前記軸受ローラ（20'）の切り欠きが係合していることを特徴とする軸受。
【請求項６】
請求項１〜５の何れか一項に記載の軸受であって、移動経路に沿って延びる前記エッジ（14, 14'）は、Ｖ字断面を有有することを特徴とする軸受。
【請求項７】
請求項１、３、４、６の何れか一項に記載の軸受であって、前記可動部品は、互いに平面平行な表面を有することを特徴とする軸受。
【請求項８】
請求項７に記載の軸受であって、前記固定部品は、前記時計におけるムーブメントのプレート（11）であり、前記可動部品の平面平行な表面に対して間隔を置いた状態で平行に延びていることを特徴とする軸受。
【請求項９】
請求項１〜８の何れか一項に記載の軸受であって、前記軸受突起（16）は、工具を係合させて前記軸受突起（16）を回転させるための回転凹部を有することを特徴とする軸受。
【請求項１０】
請求項１、３、４及び６〜９の何れか一項に記載の軸受であって、前記回転可能な可動部品は歯付きリング（１）であり、該歯付きリング（１）が、前記軸受ローラ（20）により、周方向に延びる前記固定部品の前記エッジ（14）にて回転可能に支持されていることを特徴とする軸受。
【請求項１１】
請求項１０に記載の軸受であって、前記歯付きリング（１）は、前記時計のデジタル表示部における文字盤と同心円状に結合されていることを特徴とする軸受。
【請求項１２】
請求項１１に記載の軸受であって、前記歯付きリング（11）は、ねじにより、前記文字盤と結合されていることを特徴とする軸受。
【請求項１３】
請求項１２に記載の軸受であって、前記歯付きリング（１）及び前記文字盤は、互いに間隔を置いた状態で平行に配置され、前記軸受ローラ（20）及び固定部品が、前記歯付きリング（１）及び前記文字盤の間の間隔に配置されていることを特徴とする軸受。
【請求項１４】
請求項１１〜１３の何れか一項に記載の軸受であって、前記文字盤は、前記時計の時刻表示盤（５）であることを特徴とする軸受。
【発明の詳細な説明】
【技術分野】
【０００１】
本発明は、固定部品上にムーブメントを備える時計における回転又は並進が可能な可動部品用の軸受に関する。
【背景技術】
【０００２】
回転又は並進が可能な可動部品を支持するために、転がり軸受又は滑り軸受を使用することは既知である。特に転がり軸受を使用する場合には、軸受が比較的大きな重量を有し、例えば時計のデジタル表示部におけるように、可動部品の突然の運動によりムーブメントに大きな負荷が加えられ、これにより損傷が生じかねないという欠点がある。
【発明の概要】
【発明が解決しようとする課題】
【０００３】
本発明の課題は、冒頭に記載した形式の軸受において、重量及び所要スペースを減少し、しかも取り付け及び調整を容易とすることである。
【課題を解決するための手段】
【０００４】
この課題は、本発明の第１の解決手段により解決されるものであり、この場合に可動部品は、その移動経路に沿って延びると共に一定の断面を有する１つ以上のエッジを有し、このエッジに、互いに間隔をおいて配置され、かつ周方向に延びる切り欠きが設けられた複数の軸受ローラが係合する。本発明に係る軸受は、更に、可動部品の移動経路に直交するように延びると共に、周りに軸受ローラが回転自由に支持された軸線と、時計の固定部品の軸受凹部内にて、摩擦抵抗を受けつつ回転調整可能に支持され、上記軸線に対して軸線方向に偏心状に延びる軸受突起とを備える。
【０００５】
また、上述した課題は、本発明の第２の解決手段によっても解決されるものであり、この場合に固定部品は、可動部品の移動経路に沿って延びると共に一定の断面を有する１つ以上のエッジを有し、このエッジに、互いに間隔をおいて配置され、かつ周方向に延びる切り欠きが設けられた複数の軸受ローラが係合する。本発明に係る軸受は、更に、可動部品の移動経路に直交するように延びると共に、周りに軸受ローラが回転自由に支持された軸線と、時計の可動部品の軸受凹部内にて、摩擦抵抗を受けつつ回転調整可能に支持され、上記軸線に対して軸線方向に偏心状に延びる軸受突起とを備える。
【０００６】
上述した解決手段によれば、重量及び所要スペースの小さい軸受を実現することが可能である。更に、軸受摩擦が小さいため、この軸受摩擦による制動トルクも小さい。
【０００７】
取り付けに際しては、軸受突起を先に回転させることにより、軸及び軸受ローラが、端部位置から離間した位置に配置される。これにより、軸受ローラの切り欠きを係合させる部品を、軸受ローラと同一平面内に支障なく嵌め込むことが可能である。その後に軸受突起を回転させることにより、上記係合部品に対して軸受けローラが最適な位置に配置され、かつ軸受ローラの切り欠きが上記取り付け部品のエッジに係合するまで、これら軸受ローラが係合部品に向けて移動する。
【０００８】
本発明に係る軸受は、必要なスペースが僅かであると共に耐摩耗性を有する。
【０００９】
軸受ローラの切り欠きにより、可動部品が僅かなバックラッシュでガイドされる。
【００１０】
軸受ローラの切り欠きの断面をＶ字状とすれば、可動部品が特に僅かなバックラッシュでガイドされる。
【００１１】
固定部品は、回転軸受に対して、円形かつ周方向に延びるエッジを有し、軸受ローラ及びその切り欠きが係合する構成とすることができる。
【００１２】
並進可能な可動部品は、長手方向に延びるレバーとして構成することができる。この場合、軸受ローラ及びその切り欠きが、レバーの長手方向における２つのエッジに係合して並進可能に支持される。
【００１３】
可動部品における僅かなバックラッシュによるガイドは、可動部品の移動経路に沿って延びるエッジの断面をＶ字状に形成すれば更に向上させることが可能である。
【００１４】
可動部品は、互いに平面平行な２つの表面を有することができる。
【００１５】
固定部品が時計におけるムーブメントのプレートとして構成され、可動部品の平面平行な表面に対して間隔を置いた状態で平行に延びる構成とすれば、プレートが２つの機能を有するため省スペース化が図られる。
【００１６】
軸と結合させた軸受突起を回転調整可能にするため、これら軸受突起は、工具を係合させて上記軸受突起を回転させるための回転凹部を有することができる。
【００１７】
簡略化した構成において、この回転凹部は、軸に直交するように軸受突起の端面に形成されたスリットであり、ドライバが差し込み可能である。
【００１８】
回転可能な可動部品は、歯付きリングとして構成し、周方向に延びる固定部品のエッジにて回転可能に支持することができる。この場合、歯付きリングを、時計のデジタル表示部における文字盤と同心円状に結合させることができる。
【００１９】
歯付きリング及び文字盤の結合は、ねじを使用することにより容易に行うことができる。
【００２０】
歯付きリング及び文字盤を、互いに間隔を置いた状態で平行に配置し、軸受ローラ及び固定部品を、歯付きリング及び文字盤の間の間隔に配置すれば、必要なスペースを極めて小さくすることができる。
【００２１】
文字盤は、時計のデジタル表示部の時刻表示盤とすることができる。
【００２２】
以下、本発明の実施形態を図面に基づいて詳述する。
【図面の簡単な説明】
【００２３】
【図１】歯付きリングと、時刻表示盤と、歯付きリングに結合させた時刻表示盤上の回転軸受で構成される時計ユニットの平面図である。
【図２】図１に係るユニットの第１細部の断面図である。
【図３】図１に係るユニットの第２細部の断面図である。
【図４】図１に係るユニットの第３細部の断面図である。
【図５】時計に並進的に支持されたレバーの平面図である。
【発明を実施するための形態】
【００２４】
図１〜図４に示すユニットは、内歯２を有する歯付きリング１を含む。この歯付きリング１は、外周上に均等に設けられ、かつ半径方向に突出する６個のフランジ部分３を有する。各フランジ部分３には、周方向に延びる長孔４が形成されている。
【００２５】
これらフランジ部分３は歯付きリング１よりも厚さが大きいため、歯付きリング１から軸線方向に一方の側に突出している。
【００２６】
フランジ部分３の突出側の端面には、環状の時刻表示盤５が設けられている。この時刻表示盤５に関して、外径はフランジ部分３の外径に比べて大きく、内径は歯付きリング１の内歯２の直径に比べて小さい。フランジ部分３が突出していることにより、歯付きリング１及び時刻表示盤５の間には環状ギャップ12が形成されている。
【００２７】
時刻表示盤５には、長孔４の中央領域とオーバーラップすると共に長孔４の幅に対応する直径を有するステップ状の貫通孔６が形成されている。これら貫通孔６の大ステップは、フランジ部分３とは反対側の時刻表示盤５上に位置している。
【００２８】
上記貫通孔６には、雌ねじが形成されたブッシュ７が嵌め込まれている。これらブッシュ７は、長孔４まで達すると共に、フランジ部分３とは反対側において、半径方向外方に突出し、かつ貫通孔６の大ステップに嵌め込まれたフランジ８を有する。
【００２９】
時刻表示盤５とは反対側からねじ９が貫通孔６内でガイドされ、ねじヘッド10が時刻表示盤５とは反対側のフランジ部分３に当接するまで、ブッシュ７の雌ねじに締結されている。これにより、歯付きリング１及び時刻表示盤５が互いに堅固に結合されている。
【００３０】
歯付きリング１に対しては、時計のムーブメントの時プレート11が同軸状かつ固定的に配置されている。このプレート11は、時刻表示盤５の内部を通過している。更に、プレート11の自由端は、環状ギャップ12に突入すると共に半径方向に延びる環状フランジ13を有する。この周方向に延びる環状フランジ13のエッジ14は、Ｖ字断面を有する。
【００３１】
歯付きリング１における同心円状のピッチ円上には、穿孔として形成された３つの軸受凹部15が均等に配置されている。この軸受凹部15には軸受突起16が嵌め込まれ、これら軸受突起16は、一定の摩擦抵抗を超過したときに軸受凹部15内で回転調整可能である。
【００３２】
軸受突起16には軸ピン18が配置され、これら軸ピン18の軸線19は、軸受突起16の長手方向軸線17に対して偏心状に延びると共に環状ギャップ12内に延びている。
【００３３】
軸ピン18上には軸受ローラ20が回転自由に支持されている。これら軸受ローラ20の外周には切り欠き21が形成され、環状フランジ13のＶ字断面に対応してやはりＶ字断面を有する。
【００３４】
軸受突起16を回転させることができるように、これら軸受突起16の端面には、対応する工具を差し込むことのできるクローバ状の凹部22が形成されている。この工具（図示せず）により、軸受突起16は、その長手方向軸線17周りに回転可能である。
【００３５】
軸ピン18の軸線19が軸受突起16の長手方向軸線17に対して偏心しているため、軸受ローラ20は、周方向に延びる環状フランジ13のエッジ14から離間した位置（図３参照）と、周方向に延びる切り欠き21がやはり周方向に延びる環状フランジ13のエッジ14を収容する位置（図４参照）との間で調整可能である。これら位置においては、時刻表示盤５及び歯付きリング１で構成されたユニットが環状フランジ13上で回転可能に支持されている。
【００３６】
組み立てに際しては、先に環状フランジ13を有する時プレート11を時刻表示盤５上に配置し、次いでフランジ部分３を有する歯付きリング１を時刻表示盤５上に配置し、時刻表示盤５とねじ結合する。この場合、軸受ローラ20は、周方向に延びる環状フランジ13のエッジ14から離間した位置に配置しておく必要がある。
【００３７】
歯付きリング１及び時刻表示盤５を互いにねじ結合させた後、３個の軸受突起16をすべて同一のステップで順次に回転させつつ、切り欠き21及びエッジ14の間に最小限の遊びだけが残留するまで、軸受ローラ20を環状フランジ13に向けて移動する。これにより、時刻表示盤５及び歯付きリング１で構成されたユニットが、環状フランジ13上で回転可能に支持される。
【００３８】
図５に示す実施形態においては、弧状経路24に沿って円弧状のレバー23が並進移動可能に支持されている。
【００３９】
この場合、半径方向外方の端部領域25, 26におけるエッジ14'と、半径方向内方の中央領域27におけるエッジ14'は、図１〜図４に示すエッジ14に対応するように構成されている。
【００４０】
これら端部領域25, 26及び中央領域27には、軸受ローラ20に対応する軸受ローラ21'が係合しており、レバー23が並進移動可能に支持されている。
【００４１】
軸受ローラ20'は、図１〜図４の実施形態と同様に、軸受突起が設けられた軸ピン上に回転可能に支持されている。これら軸ピンの軸線は、軸受突起の長手方向軸線に対して偏心状に延びている。
【００４２】
軸受突起は、固定的なムーブメントプレート28に形成された軸受凹部内で、一定の摩擦抵抗を超過したときに回転調整可能に支持されている。
【００４３】
図示の実施形態の取り付けに際しては、図１〜図４の実施形態と同様に、先に軸受突起を回転させることにより、軸受ローラ20'をエッジ14'に対して離間させ、レバー23をムーブメントプレート28上に配置しておく。次いで、軸受ローラの切り欠き及びエッジ14の間に最小限の遊びだけが残留するまで、軸受突起を回転させることにより軸受ローラ20'をレバー23に向けて移動する。これにより、レバー23は、並進移動可能であると共に遊びを有する状態でムーブメントプレート28上に支持される。
【符号の説明】
【００４４】
１     歯付きリング
２     内歯
３     フランジ部分
４     長孔
５     時刻表示盤
６     貫通孔
７     ブッシュ
８     フランジ
９     ねじ
10     ねじヘッド
11     時プレート
12     環状ギャップ
13     環状フランジ
14     エッジ
14'    エッジ
15     軸受凹部
16     軸受突起
17     長手方向軸線
18     軸ピン
19     軸線
20     軸受ローラ
20'    軸受ローラ
21     切り欠き
22     凹部
23     レバー
24     弧状経路
25     端部領域
26     端部領域
27     中央領域
28     ムーブメントプレート
【図１】
2016090575.tif 000003
【図２】
2016090575.tif 000004
【図３】
2016090575.tif 000005
【図４】
2016090575.tif 000006
【図５】
2016090575.tif 000007
【手続補正書】
【提出日】平成27年12月28日(2015.12.28)
【手続補正１】
【補正対象書類名】図面
【補正対象項目名】全図
【補正方法】変更
【補正の内容】
【図１】
2016090575.tif 000008
【図２】
2016090575.tif 000009
【図３】
2016090575.tif 000010
【図４】
2016090575.tif 000011
【図５】
2016090575.tif 000012